(57)【要約】      （修正有）【課題】医療現場において適当な場所に収納された状態にあっても、充分な医薬品情報が視認できる医薬品製品の包装用箱を提供する。【解決手段】医薬品製品の包装用箱のフラップ２、４、５、７、８、１０、１１、１３の裏側に医薬品情報を記載することで、医療現場においてフラップが開かれた状態で医薬品棚に収納された状態にある包装用箱から医薬品情報を視認できる。記載される医薬品情報は、薬剤の名称、会社名、投与量、製剤中の薬物含量、製剤の形態、用途、錠剤写真、錠剤図から選ばれる。【選択図】図１
0003196225.tif 000002
【実用新案登録請求の範囲】
【請求項１】
フラップの裏側に医薬品情報が記載された、医薬品製品の包装用箱。
【請求項２】
医薬品情報が薬剤の名称、会社名、投与量、製剤中の薬物含量、製剤の形態、用途、錠剤写真、錠剤図の何れかより選択される、請求項１の包装用箱。
【請求項３】
医薬品製品が、錠剤、散剤、注射剤、点眼液の何れかより選択される、請求項１又は請求項２の包装用箱。
【考案の詳細な説明】
【技術分野】
【０００１】
本考案は、医薬品情報の視認性を改善した医薬品製品の包装用箱に関するものである。
本考案の医薬品製品の包装用箱は、フラップが開かれた状態で薬局等の医療現場の医薬品棚に収納されても、必要な医薬品情報を視認することが可能である。
【背景技術】
【０００２】
医薬品製品の包装用箱は、ＰＴＰシートに封入された錠剤や、散剤、注射剤、点眼液などが詰められて、薬局等の医療現場へと提供されている。医薬品製品の包装用箱の表側には、医療従事者が使用する際の利便性の向上や医療過誤の防止等を目的として、薬剤の名称や製剤中の薬物含量、医療用途などの様々な医薬品情報が記載されることは現在一般的に行われている。
【０００３】
しかし、薬局等の医療現場においては、医薬品製品が詰められた包装用箱は戸棚や引出し等の適当な場所（医薬品棚）に収容された状態で置かれることが多いため、其の包装用箱の側面の表側に記載された医薬品情報は同場所に収容される他の医薬品等の物品の陰に隠れて大部分が視認できない。また、収容時の包装用箱はフラップが開かれた状態にあることが多く、その状態ではフラップの表側に記載された医薬品情報は視認できない。これらのことは、薬局等の医療現場に従事する者が、医薬品棚に収容されている包装用箱に記載された医薬品情報を容易に視認することを妨げていた。
そこで本考案者は、医療現場の従事者の業務の利便性を向上させるため、上記の問題を解決する方法を考案した。
【先行技術文献】
【非特許文献】
【０００４】
【非特許文献１】意匠登録１５０２２６２号公報
【考案の概要】
【考案が解決しようとする課題】
【０００５】
本考案が解決しようとする課題は、医療現場においてフラップが開かれた状態で医薬品棚に収納された状態でも医薬品の包装用箱から充分な医薬品情報が視認できる方法を提供することにある。
【課題を解決するための手段】
【０００６】
本考案者は、前記課題を解決するために鋭意検討し、医薬品の包装用箱のフラップの裏側に医薬品情報を記載することで、医薬品棚に収納された状態にある医薬品製品の医薬品情報の視認性が改善されることを見出し、本考案を完成させるに至った。
【０００７】
すなわち、本考案は下記（１）〜（３）の考案に関するものである。  
（１）フラップの裏側に医薬品情報が記載された、医薬品製品の包装用箱。
（２）医薬品情報が薬剤の名称、会社名、投与量、製剤中の薬物含量、製剤の形態、用途、錠剤写真、錠剤図の何れかより選択される、（１）の包装用箱。
（３）医薬品製品が、錠剤、散剤、注射剤、点眼液の何れかより選択される、（１）又は（２）の包装用箱。
【考案の効果】
【０００８】
本考案の、フラップの裏側に医薬品情報が記載された、医薬品製品の包装用箱は、医療現場においてフラップが開かれた状態で医薬品棚に収納された状態にあっても、医療従事者が視認可能な其のフラップの裏側部分等から包装用箱に収容された医薬品製品に関する情報を視認することを可能にするため、医療従事者の業務の利便性の向上や医療過誤の防止につながる利点がある。
【図面の簡単な説明】
【０００９】
【図１】図１は本考案を適用する医薬品製品の包装用箱の展開図の表側の例である。図中の点線は、フラップが切り離しやすい加工がされた箇所を表している。
【図２】図２は本考案を適用する医薬品製品の包装用箱の展開図の裏側の例である。
【図３】図３は本考案を適用する医薬品製品の包装用箱が成形されて且つ閉じられた状態の斜視図の例である。
【図４】本考案を適用する医薬品製品の包装用箱のフラップが開かれたときの平面図の例である。
【考案を実施するための形態】
【００１０】
本考案は裏側に医薬品情報が記載された、医薬品製品の包装用箱を提供するものである。医薬品情報が印字される、包装用箱の部分としては、フラップの裏側（図２においては、２´、４´、５´、７´、８´、１０´、１１´、１３´の部分）が好ましい。フラップは包装用箱を成形した時に蝶番の形式でふたとなる部分を意味する。包装用箱の表側とは、包装用箱の展開図において、包装用箱が成形されて且つ閉じられた状態にある時（図３）に視認することが可能な側の面を意味する。裏側は表側の反対側の面である。胴体部分（図１、２においては、１、１´、３、３´、６、６´、９、９´、１２、１２´の部分）は、包装用箱を成形させた際にフラップとなる部分（図１、２においては、２、２´、４、４´、５、５´、７、７´、８、８´、１０、１０´、１１、１１´、１３、１３´の部分）を除く部分であり、胴体部分の縦の辺の両側にフラップが位置するように配置される。医薬品製品の包装用箱は成形されたもの（図３）が医療現場に提供される。
【００１１】
医薬品製品の包装用箱の裏側に記載される医薬品情報は、薬剤の名称、会社名、投与量、製剤中の薬物含量、製剤の形態、錠剤写真、錠剤図、用途などから選択されるが、より好ましくは薬剤の名称、会社名、錠剤写真、錠剤図であり、さらに好ましくは錠剤写真、錠剤図である。錠剤写真はＰＴＰシートに含まれた状態であるか又はＰＴＰシートから取り出された状態にある錠剤を撮影したものである。錠剤図は、ＰＴＰシートに含まれた状態であるか又はＰＴＰシートから取り出された状態にある錠剤を描画したものである。医薬品製品の包装用箱の裏側に記載される医薬品情報は、好ましくは薬剤の名称、会社名、投与量、製剤中の薬物含量、製剤の形態、錠剤写真、錠剤図、用途などから二つ以上選ばれ、より好ましくは錠剤写真又は錠剤図を含んで二つ以上選ばれる。
【００１２】
医薬品製品は、錠剤、散剤、注射剤、点眼液の何れかより選択され、特に好ましくはＰＴＰシートに封入された状態の錠剤である。
【００１３】
裏側に医薬品情報が記載される、包装用箱は、医療現場で収納しやすいサイズであることが望ましい。成形されて且つ閉じられた包装用箱のサイズは、好ましくは縦１０ｃｍ〜２０ｃｍで横３ｃｍ〜８ｃｍであり、より好ましくは縦１１ｃｍ〜１７ｃｍで横４ｃｍ〜７ｃｍである。
【産業上の利用可能性】
【００１４】
本考案の、裏側に医薬品情報が記載された、医薬品製品の包装用箱は、医療現場において医療従事者が医薬品製品に関する充分な情報量を視認することを可能にし、医療従事者の業務の利便性の向上や医療過誤の防止に大いに貢献する。
【符号の説明】
【００１５】
１：側板（表側）、２：天蓋フラップ（表側）、３：側板（表側）、４：天蓋フラップ（表側）、５：内フラップ（表側）、６：側板（表側）、７：内フラップ（表側）、８：天蓋フラップ（表側）、９：側板（表側）、１０：天蓋フラップ（表側）、１１：内フラップ（表側）、１２：側板（表側）、１３：内フラップ（表側）、１´：側板（裏側）、２´：天蓋フラップ（裏側）、３´：側板（裏側）、４´：天蓋フラップ（裏側）、５´：内フラップ（裏側）、６´：側板（裏側）、７´：内フラップ（裏側）、８´：天蓋フラップ（裏側）、９´：側板（裏側）、１０´：天蓋フラップ（裏側）、１１´：内フラップ（裏側）、１２´：側板（裏側）、１３´：内フラップ（裏側）、
【図１】
0003196225.tif 000003
【図２】
0003196225.tif 000004
【図３】
0003196225.tif 000005
【図４】
0003196225.tif 000006